(57)【要約】【課題】  低フレーム・レートの映像信号が正しく出力されているかを一目で確認することができるテストチャートを提供することを目的とするものである。【解決手段】  映像信号のフレーム・レートがモニタのスキャン・レートの周波数よりも低い周波数であり、該映像信号が正しいフレーム・レートでモニタに出力されているか否かを確認するためのテストチャート１であって、テストチャート１が、前記スキャン・レートの周波数に対して前記フレーム・レートの周波数の倍率分に相当する数だけ分割したパターンを互いに重ならないように斜めに配列したテストチャートである。【選択図】  図１
2006108972.tif 000002
【特許請求の範囲】
【請求項１】
映像信号のフレーム・レートがモニタのスキャン・レートの周波数よりも低い周波数であり、該映像信号が正しいフレーム・レートでモニタに出力されているか否かを確認するためのテストチャートであって、
前記テストチャートが、前記スキャン・レートの周波数に対して前記フレーム・レートの周波数の倍率分に相当する数だけ分割したパターンを互いに重ならないように斜めに配列したことを特徴とするテストチャート。
【発明の詳細な説明】
【技術分野】
【０００１】
本発明は、映像信号源のフレーム・レートに基づいて適正に映像がモニタに出力されているか否かを確認するためのテストチャートに関するものである。
【背景技術】
【０００２】
通常、モニタに画像を表示する場合、映像信号側とモニタ側の映像周波数を同じレートに設定することにより、正常な映像をモニタに出力することができる。例えば、フレーム・レートが６０Ｈｚの映像信号は、スキャン・レートが６０Ｈｚのモニタを使用して、１フィールド毎の映像信号が順次入力されて１画面分の正常な映像をモニタに出力することができる（図２（ａ））。
【０００３】
映像信号には３０Ｈｚ、１５Ｈｚ、７．５Ｈｚなどの低フレーム・レートのものがあり、このような低フレーム・レートの映像信号をスキャン・レートが６０Ｈｚのモニタで出力したとすると、互いの映像周波数が異なるため、モニタに出力された映像は正常に出力することができない。映像信号源のフレーム・レートが不明であれば、モニタに出力された映像が正しく出力されているか否かは分からない。
【０００４】
例えば、３０Ｈｚの低フレーム・レートの映像信号では、６０Ｈｚの映像信号の２Ｈ（Ｈ：水平走査期間）毎に１Ｈのタイミングでビデオカメラ等の映像信号源から映像信号が読み出される（図２（ｂ））。１５Ｈｚの映像信号では、６０Ｈｚの映像信号の４Ｈのタイミングで一回（図２（ｃ））、７．５Ｈｚの映像信号は６０Ｈｚの映像信号の８Ｈのタイミングで１回（図２（ｄ））の割合で読み出されてモニタに出力される。このように低フレーム・レートの映像信号は、１Ｈを読み出すタイミングが違うだけで垂直同期信号の間隔（１／６０秒）は変化がなく同一である。
【０００５】
なお、通常のテストチャートは、図５に示したように、光学系及びテレビモニタの解像力を評価するために使用されており、放射状の楔チャートのパターンを垂直方向及び水平方向に配置し、テレビカメラのレンズ及びカメラ部の限界解像力を測定するのに効果的なものである。しかし、このテストチャートは、映像信号のフレーム・レートを確認するためのものではなかった（例えば、特許文献１を参照）。
【０００６】
【特許文献１】特開２０００−２２４６１５号公報（明細書段落〔０００１〕〜〔０００４〕，図面図３）
【発明の開示】
【発明が解決しようとする課題】
【０００７】
本発明のテストチャートの理解を容易とするために、低フレーム・レートの映像信号を６０Ｈｚ対応のモニタで映し出した場合について、図３を参照して説明する。
先ず、図３（ａ）はカメラで撮影する絵柄を示している。この絵柄をテレビカメラにより撮影した際のフレーム・レートが６０Ｈｚの映像信号（図３（ｂ））であれば、図３（ｂ′）に示したように、図３（ａ）の絵柄と同じ映像が出力される。しかし、この絵柄をテレビカメラにより撮影した際のフレーム・レートが３０Ｈｚの映像信号（図３（ｃ））であるとすると、６０Ｈｚのモニタでは３０Ｈｚの映像信号を２フィールド出力しようとする。従って、モニタ画面には３０Ｈｚの映像の上半分と下半分が重なって映し出されることになる（図３（ｃ′））。
【０００８】
また、図４（ａ）に示した絵柄をカメラで撮影し、その映像信号のフレーム・レートが６０Ｈｚであれば（図４（ｂ））、６０Ｈｚ対応のモニタに出力すると、図４（ａ）と同一の絵柄の映像が出力される（図４（ｂ′））。フレーム・レートの周波数が１５Ｈｚの映像信号では、６０Ｈｚ対応のモニタに出力した場合、図４（ｃ）に示したように、映像信号のフレーム・レートが、６０Ｈｚの１／４の周波数であり、１画面が縦に４分割されて１画面に重なって４フィールドに渡って出力される（図４（ｃ′））。さらに、図示しないが、フレーム・レートが７．５Ｈｚの映像も同じ原理で、１画面が縦に８分割されて１画面に８フィールドが重なって出力される。
【０００９】
図３（ｃ′），図４（ｃ′）のように、通常の６０Ｈｚ対応のモニタでは低レート映像信号では縦に分割され、それらが一画面に重なり合って出力されるので、とても複雑な絵柄になり、普通の絵柄を写したのでは低フレーム・レートの映像信号が正常に出力されているか否かを判別することができないという問題があった。
【００１０】
本発明は、このような問題に鑑みてなされたものであり、低フレーム・レートの映像信号が正しく出力されているか否かを一目で確認することができるテストチャートを提供することを目的とするものである。
【課題を解決するための手段】
【００１１】
本発明は、上述した課題を解決するためなされたものであり、請求項１の発明は、  映像信号のフレーム・レートがモニタのスキャン・レートの周波数よりも低い周波数であり、該映像信号が正しいフレーム・レートでモニタに出力されているか否かを確認するためのテストチャートであって、
前記テストチャートが、前記スキャン・レートの周波数に対して前記フレーム・レートの周波数の倍率分に相当する数だけ分割したパターンを互いに重ならないように斜めに配列したことを特徴とするテストチャートである。
なお、パターンは文字又は絵柄を枠内に設けたものであり、シート状のテストチャート或いは信号発生器によりテストチャートのパターンを映像信号として出力するものである。
【発明の効果】
【００１２】
請求項１の発明のテストチャートは、映像信号側のフレーム・レートとモニタ側のスキャン・レートが互いに異なる場合であっても、その映像信号が正しく出力されているか否かをモニタ画面上において一目で確認することができるので、映像信号側の出力端子へ測定器を接続してフレーム・レートを測定する必要がなく、迅速な動作確認をすることができる利点がある。
【発明を実施するための最良の形態】
【００１３】
以下、本発明に係るテストチャートの実施形態について図面を参照し説明する。図１（ａ）は、本発明の一実施形態のテストチャートの表面図を示し、同図（ｂ）ではこのテストチャート１の映像信号が７．５Ｈｚのフレーム・レートであり、スキャン・レートが６０Ｈｚ対応のモニタに出力した場合の表示例を示し、同図（ｃ）はフレーム・レートが１５Ｈｚの映像信号の表示例を示し、これらの映像信号による表示から映像信号のフレーム・レートを確認する。
【００１４】
図１（ａ）に示すように、テストチャート１は、モニタの表示領域の縦と横をそれぞれ８分割した四角形状の枠内に識別可能な文字（例えば、ＩＫＥＧＡＭＩ！）によるパターン１ａ〜１ｈが互いに重ならないように斜めに対角線上に並べて配置されている。このようにそれぞれに文字を囲む分割した枠が斜めに並べられ、低フレーム・レートでの映像の重なりによって、枠内の文字が互いに重なり合って、映像が見分けられなくならないように配列されている。図１（ａ）の２の点線で囲まれた範囲は撮影範囲を示している。なお、図１（ａ）では例として「ＩＫＥＧＡＭＩ！」としたが、枠内の表示は識別できるものであれば、「ＰＡＴＴＥＲＮ！」或いは「○□△◎◇▲●！」としてもよく、文字や模様等の何れであってもよい。
【００１５】
このテストチャート１を被写体としてビデオカメラ等で撮影するときは、撮影範囲２で示したように、テストチャート１の「Ｉ」を囲む枠の左上と、「！」を囲む枠の右下の角を合わせるように写す。このように撮影された映像信号は、正しいフレーム・レート（７．５Ｈｚ）で出力されている場合、６０Ｈｚ対応のモニタでは、テストチャートが縦方向に８分割され、これらが互いに重なり合って表示されるので、図１（ｂ）に示すように、枠内の文字「ＩＫＥＧＡＭＩ！」が横一列に並んで表示され、一目でその映像信号のフレーム・レートを確認することができる。
【００１６】
図１（ｃ）の表示例は、図１（ａ）のテストチャート１を被写体として撮影し、フレーム・レートが１５Ｈｚの映像信号を６０Ｈｚ対応のモニタに表示した場合を示している。この場合、テストチャート１が縦方向に４分割され、これが互いに重なり合って一画面を構成し、枠内の文字「ＩＥＡＩ」が画面の上方に、「ＫＧＭ！」が画面の下方に上下二列に並んでモニタに表示される。モニタには、図１（ｃ）の画像が表示されることからフレーム・レートが１５Ｈｚの映像信号が正しくモニタに出力されていることを一目で判別することができる。即ち、モニタのスキャン・レートと映像信号のフレーム・レートが一致していないことが判別できる。また、この場合、モニタのスキャン・レートを１５Ｈｚに設定することにより、正しい映像をモニタに出力することができる。
【００１７】
上述のように、図１（ａ）のテストチャート１は、画面の縦，横を均等に８分割したパターンとし、６０Ｈｚ対応のモニタに対して７．５Ｈｚ及び１５Ｈｚの映像信号が正しく出力されているか否かをモニタで確認することができる。なお、本実施形態のテストチャートは、モニタのスキャン・レートが６０Ｈｚの場合を想定したパターンであり、この実施形態に限定するものではなく、モニタのスキャン・レートの周波数と映像信号のフレーム・レートの周波数とに応じて任意に設定できる。
【００１８】
また、上記実施形態では、シート状のテストチャートを被写体として用いているが、この実施形態に限定することなく、図１（ａ）のテストチャート１の撮影範囲２に相当する映像を出力する信号発生器を利用してよい。このような信号発生器をカメラ等の映像機器内に設けることにより、信号発生器からの映像信号をモニタに出力することによって、映像信号源のフレーム・レートの周波数が正確であるか否かを判別することができるし、モニタのスキャン・レートを容易に確認することができる。すなわち、本発明のテストチャートは、被写体としてのテストチャートと、信号発生器の映像信号としてのテストチャートを含むものである。
【００１９】
上記のように、本発明は、その代表例としてテストチャートが、画面の対角線状に文字或いは絵柄を表示した四角形状の枠からなる８個のパターンで構成されており、モニタのスキャン・レートの周波数を、想定される映像信号のフレーム・レートで最も低い周波数である７．５Ｈｚで割った値に基づいて、８個のパターンで構成したものであり、一画面に８フレームの画像が重なって出力されるが、パターンの文字或いは絵柄が重なることがなく、判別が容易である。また、このような８個のパターンであれば、映像信号のフレーム・レートが１５Ｈｚであっても、テストチャートを縦方向に４分割して一画面に表示されたとしてもパターンの文字或いは絵柄は重なることがなく、判別が容易である。
【００２０】
このように本発明のテストチャートのパターンの縦・横の分割数は、モニタのスキャン・レートの周波数に対する映像信号のフレーム・レートの周波数の倍率分に設定されており、各パターンが画面の対角線上に配置されることにより、互いのパターンが重なることないし、モニタのスキャン・レートが既知であれば、映像信号のフレーム・レートを一目で判別することができる。
【産業上の利用可能性】
【００２１】
本発明の活用例としては、映像信号側のフレーム・レートとモニタ側のスキャン・レートとが異なる場合、その映像信号が正しいレートで出力されているか否かを一目で確認したい場合に利用することができ、特にテレビカメラ等の映像信号源が規定通り正しく動作しているか否かを確認するための調整用治具に利用することができる。
【図面の簡単な説明】
【００２２】
【図１】（ａ）は本発明のテストチャートの一実施形態を示す表面図であり、（ｂ）はフレーム・レートの周波数が７．５Ｈｚの場合、（ｃ）はフレーム・レートの周波数が１５Ｈｚの場合の表示例を示す図である。
【図２】（ａ）は６０Ｈｚの映像信号、（ｂ）は３０Ｈｚの映像信号、（ｃ）は１５Ｈｚの映像信号、（ｄ）は７．５Ｈｚの映像信号のタイミングをそれぞれ示す説明図である。
【図３】（ａ）は絵柄を示し、（ｂ）はフレーム・レートとスキャンレートが一致する場合の説明図、（ｂ′）はその映像を示す説明図であり、（ｃ）がフレーム・レートの周波数が３０Ｈｚの場合の説明図、（ｃ′）はその映像を示す説明図である。
【図４】（ａ）は絵柄を示し、（ｂ）はフレーム・レートとスキャンレートが一致する場合の説明図、（ｂ′）はその映像を示す説明図であり、（ｃ）がフレーム・レートの周波数が１５Ｈｚの場合の説明図、（ｃ′）はその映像を示す説明図である。
【図５】従来のテストチャートを示す図である。
【符号の説明】
【００２３】
１  テストチャート
１ａ〜１ｈ  枠内に文字又絵柄を設けたパターン
２  撮影範囲
【図１】
2006108972.tif 000003
【図２】
2006108972.tif 000004
【図３】
2006108972.tif 000005
【図４】
2006108972.tif 000006
【図５】
2006108972.tif 000007